(57)【要約】【課題】スクリーンを展開する際に皺を生じ難くする。【解決手段】黒板ＢＢに付着可能な磁性を有する巻き取り式のスクリーン４と、スクリーン４の一端を固定した第一移動体１０と、スクリーン４の他端を固定すると共に、スクリーン４を巻き取るための巻き取り機構を備えた第二移動体２０と、スクリーン４上に映像を投影可能なプロジェクタＰＪを備える。第二移動体２０は、巻き取り機構として巻き取りローラ２２、第二移動体２０を移動させるための移動ハンドル２６、及びストッパ機構２４の動作を解除させるストッパ解除ハンドル２８とを備える。第二移動体２０を、第一移動体１０から遠ざけるように黒板ＢＢ上を移動させ、スクリーン４を黒板ＢＢ上に展開可能に構成することで、スクリーン４に皺を生じ難くさせることができる。【選択図】図１
2015163923.tif 000002
【特許請求の範囲】
【請求項１】
黒板(BB)の表面に展開可能な、該黒板(BB)に付着可能な磁性を有する巻き取り式のスクリーン(4)と、
前記スクリーン(4)の一端を固定した第一移動体(10)と、
前記スクリーン(4)の他端を固定すると共に、前記スクリーン(4)を巻き取るための巻き取り機構を備えた第二移動体(20)と、
前記スクリーン(4)を黒板(BB)上に展開した状態で、該スクリーン(4)上に映像を投影可能なプロジェクタ(PJ)と
を備える電子黒板装置であって、
前記第一移動体(10)及び第二移動体(20)は、黒板(BB)の前面で、該黒板(BB)上を移動自在に装着されており、
前記第二移動体(20)を、前記第一移動体(10)から遠ざけるように黒板(BB)上を移動させることで、前記スクリーン(4)を黒板(BB)上に展開可能に構成してなることを特徴とする電子黒板装置。
【請求項２】
請求項１に記載の電子黒板装置であって、
前記第一移動体(10)は、前記第二移動体(20)から前記スクリーン(4)を引き出して展開する際に、非固定状態としてなることを特徴とする電子黒板装置。
【請求項３】
請求項１又は２に記載の電子黒板装置であって、
前記第一移動体(10)は、前記スクリーン(4)の幅方向の中間に、スクリーン(4)を黒板(BB)と平行な面内で旋回自在とした回転軸を設けており、前記回転軸でもって前記スクリーン(4)を前記第一移動体(10)に固定してなることを特徴とする電子黒板装置。
【請求項４】
請求項３に記載の電子黒板装置であって、
前記第一移動体(10)は、前記スクリーン(4)の端部であって前記回転軸を挟む両側に形成された長穴にピンを挿通してなることを特徴とする電子黒板装置。
【請求項５】
請求項１〜４のいずれか一に記載の電子黒板装置であって、
前記第二移動体(20)は、前記巻き取り機構として巻き取りローラ(22)を備えており、
前記巻き取りローラ(22)は、前記スクリーン(4)を巻き取る回転方向に付勢されており、
前記第二移動体(20)はさらに、前記第二移動体(20)の移動を停止させるストッパ機構(24)を備えてなることを特徴とする電子黒板装置。
【請求項６】
請求項５に記載の電子黒板装置であって、
前記第二移動体(20)はさらに、
該第二移動体(20)を移動させるための移動ハンドル(26)と、
前記ストッパ機構(24)の動作を制御させるストッパ制御ハンドルと
を備えており、
前記移動ハンドル(26)の内側に、該移動ハンドル(26)よりも小さい前記ストッパ制御ハンドル(28)を配置してなることを特徴とする電子黒板装置。
【請求項７】
請求項１〜６のいずれか一に記載の電子黒板装置であって、
前記第二移動体(20)はさらに、前記巻き取りローラ(22)の前段側に、前記スクリーン(4)を該巻き取りローラ(22)に案内するためのガイドローラ(30)を回転自在に備えており、
前記ガイドローラ(30)は、黒板(BB)表面からクリアランスを設けて離間させてなることを特徴とする電子黒板装置。
【請求項８】
黒板(BB)の表面に、該黒板(BB)に付着可能な磁性を有する巻き取り式のスクリーン(4)を展開して、プロジェクタ(PJ)で映像を投影する電子黒板装置の使用方法であって、
前記スクリーン(4)の一端を固定した第一移動体(10)と、前記スクリーン(4)の他端を固定すると共に、前記スクリーン(4)を巻き取るための巻き取り機構を備えた第二移動体(20)とを、黒板(BB)の前面で、該黒板(BB)上を移動自在に装着した状態で、前記第二移動体(20)の移動及びスクリーン(4)の引き出しを停止するストッパ機構(24)を制御してストップ状態を解除する工程と、
前記第一移動体(10)に対して、前記第二移動体(20)を、該第一移動体(10)から遠ざけるように黒板(BB)上を移動させることで、前記スクリーン(4)を黒板(BB)上に磁力で付着させながら展開する工程と、
前記スクリーン(4)を所望の長さまで展開した状態で、前記ストッパ機構(24)を制御して第二移動体(20)の移動を停止してストップ状態とする工程と、
前記展開されたスクリーン(4)上に、前記プロジェクタ(PJ)から映像を投影する工程と
を含むことを特徴とする電子黒板装置の使用方法。
【請求項９】
請求項８に記載の電子黒板装置の使用方法であって、
前記第二移動体(20)を移動させて前記スクリーン(4)を展開する際に、前記第一移動体(10)を、前記第二移動体(20)の移動と逆方向に移動させることを特徴とする電子黒板装置の使用方法。
【発明の詳細な説明】
【技術分野】
【０００１】
本発明は、スクリーンを設けた移動式スクリーンを備える電子黒板装置に関し、具体的にはスクリーンの収納状態あるいは展開状態を維持可能な電子黒板装置に関する。
【背景技術】
【０００２】
黒板の前面にスライド自在なボードを配置し、このボードにプロジェクタで映像を表示可能な電子黒板が開発されている（例えば特許文献１）。このようなタイプの電子黒板は、ボードが常時、黒板の前面に位置する構造のため、ボードの使用時には問題がないが、ボードに映像を表示させない、ボードの非使用時には、ボードが邪魔になって、黒板の広い面積を使い難いという問題があった。
【０００３】
一方で、ロールに巻き取り可能なロールスクリーンを黒板の前面に巻き取り自在に配置し、使用時にはスクリーンを展開して、スクリーン上にプロジェクタから投影した映像を表示させ、非使用時にはスクリーンを巻き取って収納自在とした電子黒板が開発されている（例えば特許文献２）。この電子黒板のスクリーンは磁石となっており、金属製の黒板に磁力で付着させることができるため、使用時には、スクリーンを展開して黒板上にスクリーンを固定することができる。また、このようなロールスクリーン式の電子黒板は、スクリーンを展開した状態でプロジェクタから映像を表示させるよう構成されている。この方式の電子黒板は、非使用時には巻き取られたスクリーンをコンパクトに収納して省スペースにできるため、黒板を広く使用できるという利点がある。
【先行技術文献】
【特許文献】
【０００４】
【特許文献１】特開２０１０−２０１８０７号公報
【特許文献２】特許第５１７４６５０号公報
【発明の概要】
【発明が解決しようとする課題】
【０００５】
しかしながら、ロールスクリーン式の電子黒板は、スクリーンが柔軟性を有するため、ボードのような硬質材とは異なり、使用時にスクリーンを展開しようとしてロールから引き出す際に、皺になることがある。スクリーンが皺になると、プロジェクタで投影すると画面が見難く、見栄えが悪くなるという問題があった。
【０００６】
具体的には、従来、ロールに巻き取られたスクリーンを展開するには、まず、図９の模式正面図に示すように、スクリーン８０４を巻き取ったロール側（スクリーン８０４の固定端８１０；図９において左側）を固定した状態で、スクリーン８０４の一端側（スクリーン８０４の自由端８２０；図９において右側）を引き出す。この状態では、まだ、スクリーン８０４は黒板に付着させず、浮かせた状態としている。そして、スクリーン８０４を所望の長さまで引き出した状態で、黒板に磁石で付着させることとなるが、この際にスクリーン８０４に皺が生じることがあった。特に、スクリーン８０４の引き出し量が大きくなるほど、皺が生じる可能性が高くなる。
【０００７】
加えて、スクリーン８０４を巻き取るロールは一般に、巻き取り方向に付勢されているため、引き出したスクリーン８０４を、所望の長さで固定する必要がある。従来は、引き出しの力を弱めて巻き取り側に戻すことでロックがかかるロック機構を採用している。しかしながらこの方式では、引き出したスクリーン８０４を一旦、引き出し方向と逆方向に戻すことになり、スクリーン８０４を引き伸ばした状態、いいかえると張力が印加されて皺を伸ばした状態から、ロックをかけるために一時的に張力が解除される。このため、張力が一瞬弱くなった状態で付着させることとなり、このときに皺が発生し易くなる。このように、従来のスクリーン巻き取り方式では、皺が生じる可能性があるため、見栄えが悪く、スクリーンに投影された画像が見難くなるといった問題があった。
【０００８】
本発明は、従来のこのような問題点を解決するためになされたものである。本発明の主な目的は、スクリーンを展開する際に皺を生じ難くした電子黒板装置及び電子黒板装置の使用方法を提供することにある。
【課題を解決するための手段及び発明の効果】
【０００９】
本発明の電子黒板装置１００によれば、黒板ＢＢの表面に展開可能な、黒板ＢＢに付着可能な磁性を有する巻き取り式のスクリーン４と、このスクリーン４の一端を固定した第一移動体１０と、スクリーン４の他端を固定すると共に、スクリーン４を巻き取るための巻き取り機構を備えた第二移動体２０と、スクリーン４を黒板ＢＢ上に展開した状態で、スクリーン４上に映像を投影可能なプロジェクタＰＪとを備える。第一移動体１０及び第二移動体２０は、黒板ＢＢの前面で、黒板ＢＢ上を移動自在に装着されており、第二移動体２０を、第一移動体１０から遠ざけるように黒板ＢＢ上を移動させることで、スクリーン４を黒板ＢＢ上に展開可能に構成することができる。
【００１０】
上記構成により、従来のようにスクリーンのロール側を固定して他端を引き出す方式と比べて、他端側を固定しロール側を引き出すことで、引き出したスクリーンを直ちに黒板上に付着できるので、スクリーンが皺になる事態を抑制できる。
【００１１】
また、第二移動体を引き出し始めるタイミングで第一移動体を逆方向に若干移動させることができ、スクリーンを両端から引っ張った状態として最初に皺が生じる事態を回避し易くできる。
【００１２】
また本発明の他の電子黒板装置１００によれば、電子黒板装置１００の第一移動体１０は、第二移動体２０からスクリーン４を引き出して展開する際に、非固定状態とすることができる。
【００１３】
上記構成により、スクリーンの引き出し時に他端を固定する方式と比べて、皺が生じ難いという利点が得られる。
【００１４】
さらに本発明の他の電子黒板装置１００によれば、電子黒板装置１００の第一移動体１０は、スクリーン４の幅方向の中間に、スクリーン４を黒板ＢＢと平行な面内で旋回自在とした回転軸１２を設けており、回転軸１２でもってスクリーン４を第一移動体１０に固定することができる。
【００１５】
上記構成により、第二移動体を引き出してスクリーンを展開する際に、多少スクリーンが傾いても、回転軸を中心に旋回させることで皺の発生を抑制できる。
【００１６】
また、本発明の他の電子黒板装置１００によれば、電子黒板装置１００の第一移動体１０は、スクリーン４の端部であって回転軸１２を挟む両側に形成された長穴１４ａ、１４ｂにピンを挿通するように構成することができる。
【００１７】
上記構成により、スクリーンが回転軸を中心に傾いた際に、長穴によって傾きの量を制限することができ、大きくスクリーンが歪んで巻き取られる事態を回避できる。
【００１８】
また、本発明の他の電子黒板装置によれば、電子黒板装置１００の第二移動体２０は、巻き取り機構として巻き取りローラ２２を備える。巻き取りローラ２２は、スクリーン４を巻き取る回転方向に付勢されており、第二移動体２０はさらに、第二移動体２０の移動を停止させるストッパ機構を備えることができる。
【００１９】
上記構成により、従来の一旦引き出し力を弱めて逆方向にスクリーンを移動させることでフリー状態からロック状態に移行可能なロック機構とは異なり、引き出し方向と逆方向にスクリーンを移動させることなく、スクリーンの引き出し量を固定でき、従来の逆方向への移動時に皺が生じ易かった問題を効果的に回避できる。
【００２０】
また、スクリーンにテンションを与えて皺になり難くすることができる。
【００２１】
さらに、本発明の他の電子黒板装置によれば、電子黒板装置１００の第二移動体２０は、第二移動体２０を移動させるための移動ハンドル２６と、ストッパ機構の動作を制御させるストッパ制御ハンドル２８とを備える。ストッパ制御ハンドル２８は、移動ハンドル２６よりも小さくして、移動ハンドル２６の内側に配置することができる。
【００２２】
上記構成により、第二移動体を移動させるために移動ハンドルを握る際に、その内側のストッパ制御ハンドルも握り易くでき、すなわち移動時には移動ハンドルと共にストッパ制御ハンドルも操作してストッパ機構を制御し、ストップ状態を解除させ、第二移動体を移動自在とし、また第二移動体を停止させる際は、移動ハンドル及びストッパ制御ハンドルから手を離すと、ストッパ機構を制御し、ストップ状態となって、第二移動体をストップすることができる。
【００２３】
また、本発明の他の電子黒板装置によれば、電子黒板装置１００の第二移動体２０は、巻き取りローラ２２の前段側に、スクリーン４を巻き取りローラ２２に案内するためのガイドローラ３０を回転自在に備える。ガイドローラ３０は、黒板ＢＢ表面からクリアランスを設けて離間させることができる。
【００２４】
さらにまた本発明の電子黒板装置の使用方法によれば、黒板ＢＢの表面に、黒板ＢＢに付着可能な磁性を有する巻き取り式のスクリーン４を展開して、プロジェクタＰＪで映像を投影する。そして、スクリーン４の一端を固定した第一移動体１０と、スクリーン４の他端を固定すると共に、スクリーン４を巻き取るための巻き取り機構を備えた第二移動体２０とを、黒板ＢＢの前面で、黒板ＢＢ上を移動自在に装着した状態で、第二移動体２０の移動を停止するストッパ機構を制御してストップ状態を解除する工程と、第一移動体１０に対して、第二移動体２０を、第一移動体１０から遠ざけるように黒板ＢＢ上を移動させることで、スクリーン４を黒板ＢＢ上に磁力で付着させながら展開する工程と、スクリーン４を所望の長さまで展開した状態で、ストッパ機構を制御して第二移動体２０の移動及びスクリーン４の引き出しを停止してストップ状態とする工程と、展開されたスクリーン４上に、プロジェクタＰＪから映像を投影する工程とを含むようにすることができる。
【００２５】
これにより、従来のようにスクリーンのロール側を固定して他端を引き出す方式と比べて、他端側を固定しロール側を引き出すことで、引き出したスクリーンを直ちに黒板上に付着できるので、スクリーンが皺になる事態を抑制できる。
【００２６】
また、本発明の他の電子黒板装置の使用方法によれば、第二移動体２０を移動させてスクリーン４を展開する際に、第一移動体１０を、第二移動体２０の移動と逆方向に移動させるようにすることができる。
【００２７】
これにより、第二移動体を引き出し始めるタイミングで第一移動体を逆方向に若干移動させることで、スクリーンを両端から引っ張った状態として最初に皺が生じる事態を回避し易くできる。
【図面の簡単な説明】
【００２８】
【図１】実施例に係る電子黒板装置の使用時の正面図である。
【図２】実施例に係る電子黒板装置の非使用時の正面図である。
【図３】実施例に係る電子黒板装置の非使用時の正面図である。
【図４】実施例に係る電子黒板装置の使用時の第一移動体の斜視図である。
【図５】実施例に係る電子黒板装置の非使用時の第一移動体の斜視図である。
【図６】実施例に係る電子黒板装置の使用時の第二移動体の斜視図である。
【図７】実施例に係る電子黒板装置の使用時の第二移動体の拡大斜視図である。
【図８】実施例に係る電子黒板装置のストッパ機構を説明する垂直断面図である。
【図９】従来の電子黒板装置の使用時の一例を示す平面図である。
【図１０】従来の電子黒板装置の非使用時の一例を示す平面図である。
【図１１】従来の電子黒板装置の非使用時の一例を示す平面図である。
【発明を実施するための形態】
【００２９】
以下、本発明の実施の形態を図面に基づいて説明する。ただし、以下に示す実施の形態は、本発明の技術思想を具体化するための、電子黒板装置及び電子黒板装置の使用方法を例示するものであって、本発明は、電子黒板装置及び電子黒板装置の使用方法を以下のものに特定しない。なお、以下に示す実施の形態は、特許請求の範囲に示される部材を、実施の形態の部材に特定するものでは決してない。特に実施の形態に記載されている構成部材の寸法、材質、形状、その相対的配置等は特に特定的な記載がない限りは、本発明の範囲をそれのみに限定する趣旨ではなく、単なる説明例にすぎない。なお、各図面が示す部材の大きさや位置関係等は、説明を明確にするため誇張していることがある。さらに以下の説明において、同一の名称、符号については同一もしくは同質の部材を示しており、詳細説明を適宜省略する。さらに、本発明を構成する各要素は、複数の要素を同一の部材で構成して一の部材で複数の要素を兼用する態様としてもよいし、逆に一の部材の機能を複数の部材で分担して実現することもできる。また、一部の実施例、実施形態において説明された内容は、他の実施例、実施形態等に利用可能なものもある。
【００３０】
従来のロールスクリーン式の電子黒板は、スクリーンが柔軟性を有するため、ボードのような硬質材とは異なり、使用時にスクリーンを展開しようとしてロールから引き出す際に、皺になることがあり、プロジェクタで投影すると画面が見難く、見栄えが悪くなるという問題があった。
【００３１】
図９の従来の電子黒板装置８００は、黒板８０１の表面に展開可能な、黒板８０１に付着可能な磁性を有する巻き取り式のスクリーン８０４と、スクリーン８０４の一端を固定した固定端８１０と、スクリーンの他端を固定する自由端８２０と、スクリーン８０４を黒板８０１上に展開した状態で、スクリーン８０４上に映像を投影可能なプロジェクタＰＪを備える。また電子黒板装置８００は、投影機としてプロジェクタＰＪを固定可能な支持ロッド８０５を有する。この支持ロッド８０５は、黒板８０１から前方に突出させた先端にプロジェクタＰＪを固定している。これによりプロジェクタＰＪは、黒板８０１と離間した黒板８０１の前方に位置されて、黒板８０１側に向かって映像を投影することができる。
【００３２】
また、スクリーン８０４は巻き取り可能なロールスクリーンとしており、図９では展開した状態（使用時）を、また、図１０及び図１１では完全に巻き取った状態（非使用時）を各々示している。このスクリーン８０４は筒状のスクリーン収納体８４０に収納される。スクリーン８０４の固定端８１０が、スクリーン収納体８４０に巻き取り自在に軸支されたスクリーン巻き取りローラ（図示せず）に固定される。またスクリーン収納体８４０の上端には、支持ロッド８０５が固定される。これにより、図１０及び図１１に示すように、スクリーン収納体８４０を黒板８０１の正面に対して横方向に移動させると、支持ロッド８０５に連結されたプロジェクタＰＪも連動して横方向に移動する。したがって電子黒板装置８００のユーザは、スクリーン８０４やプロジェクタＰＪを配置したい場所までスクリーン収納体８４０を移動させ、その位置で、スクリーン収納体８４０内に収納されているスクリーン８０４を右方向に引き出すことで、図９に示すように黒板８０１の所望の位置に、任意の展開量でもってスクリーン８０４を配置することができる。
【００３３】
また、図９〜図１１の電子黒板装置８００は、スクリーン８０４の設置位置によらず、スクリーン８０４とプロジェクタＰＪとの相対位置関係を維持できる。なぜなら、スクリーン８０４とプロジェクタＰＪはスクリーン収納体８４０により共に移動されるため、予めスクリーン８０４とプロジェクタＰＪとが適切な位置関係になるよう位置決めしておくことで、スクリーン収納体８４０が移動される際には、常にスクリーン８０４とプロジェクタＰＪとの相対位置を維持したまま移動されるからである。したがって、スクリーン収納体８４０を移動させてスクリーン８０４を位置決めすると、このスクリーン８０４の設置位置に対応した適切な位置に、プロジェクタＰＪが自動的に配置される。つまりスクリーン８０４の設置領域に応じてその都度プロジェクタＰＪの配置位置を調整する必要がないため、電子黒板装置８００を簡単に操作できる。また電子黒板装置８００は、プロジェクタのピントや角度等の調節を不要として、スクリーン体上に綺麗に投影できる。
【００３４】
しかしながら、上記構成ではスクリーン８０４を巻き取り可能なロールスクリーンとしているため、前述のように柔軟性を有している。このため使用時にスクリーン８０４を展開しようとしてロールから引き出す際に、皺になることがあった。スクリーン８０４に皺が生じると、プロジェクタＰＪで投影した際に画面に凹凸が生じて投影された映像が見難くなり、見栄えも悪くなるという問題があった。このような問題を解決すべく、本発明者は鋭意研究の結果、以下の実施例で説明する電子黒板装置及び電子黒板装置の使用方法を開発した。
【実施例】
【００３５】
実施例に係る電子黒板装置の正面図を図１〜図３に示す。本実施例に係る電子黒板装置１００は、この電子黒板装置１００と接続した映像ソース供給装置の情報を、投影装置ＰＪでスクリーンや黒板ＢＢ上に投影することができる。また映し出された画面を、位置検知できる映像ソース供給装置でもって操作することで、この操作が映像ソース供給装置を介して画面に反映されるインタラクティブな電子黒板装置である。以下、電子黒板装置１００の詳細を説明する。
【００３６】
本実施例に係る電子黒板装置１００は、黒板ＢＢの表面に展開可能な、黒板ＢＢに付着可能な磁性を有する巻き取り式のスクリーン４と、スクリーン４の一端を固定した第一移動体１０と、スクリーン４の他端を固定すると共に、スクリーン４を巻き取るための巻き取り機構を備えた第二移動体２０と、スクリーン４を黒板ＢＢ上に展開した状態で、スクリーン４上に映像を投影可能なプロジェクタＰＪとを備える。なお、図１〜図３において、黒板ＢＢと他の部材とを判り易く区別するために、黒板ＢＢを砂状のハッチングにて表示している。
【００３７】
スクリーン４は、投影装置ＰＪから投影される画面を映し出すことができる映写幕であり、黒板ＢＢの前面に配置可能とされている。このスクリーン４は、巻き取り式であり、左右の両端を第一移動体１０及び第二移動体２０にそれぞれ固定されている。スクリーン４は裏面が磁石となっており、金属製の黒板ＢＢに磁力で付着させることができるため、使用時には、スクリーンを展開して黒板ＢＢ上にスクリーンを固定することができる。
【００３８】
第一移動体１０及び第二移動体２０は、黒板ＢＢの前面で、黒板ＢＢ上を移動自在に装着されており、第二移動体２０を、第一移動体１０から遠ざけるように黒板ＢＢ上を移動させることで、スクリーン４を黒板ＢＢ上に展開可能とされている。
（スクリーン傾き吸収機構）
【００３９】
第一移動体１０は、スクリーン４の一端を固定して構成されており、第二移動体２０からスクリーン４を引き出して展開する際に、非固定状態となるようにされている。
【００４０】
また、第一移動体１０は、スクリーン４の幅方向の中間に、スクリーン４を黒板ＢＢと平行な面内で多少、旋回自在とするための回転軸１２を設けている。この回転軸１２を介して、スクリーン４は第一移動体１０に固定されている。さらにスクリーン４は、その端部において、回転軸１２を挟んで上下に長穴１４ａ、１４ｂを形成している。長穴１４ａ、１４ｂには、それぞれ第一移動体１０に固定されたピンが挿通されている。これにより、スクリーン４をロール巻き取る際に、スクリーン４が多少傾いた姿勢でロールに巻き取られても、傾きを長穴１４ａ、１４ｂ内のピンの相対移動と回転軸１２による旋回でもって吸収できるので、スクリーン４に皺が生じる事態を抑制できる。また長穴１４ａ、１４ｂの長さによって傾きの量を規制して、スクリーンが大きく捻れて巻き取られる事態も回避できる。なお、上記構成は一例であって、スクリーン４の傾きを吸収する他の機構を適宜採用し得る。例えば第一移動体側にスリットを形成し、スクリーンの端部側にピンを設けても同様の効果が得られる。また回転軸１２、必ずしも黒板幅方向の中心にある必要はなく、多少位置をずらして配置してもよい。
（第二移動体２０）
【００４１】
図６は、電子黒板装置１００の使用時の第二移動体２０の斜視図であり、図７は、電子黒板装置１００の使用時の第二移動体２０の拡大斜視図である。第二移動体２０は、巻き取りローラ２２、移動ハンドル２６、ストッパ制御ハンドル２８及びガイドローラ３０を備えている。
（スクリーン巻き取り機構）
【００４２】
第二移動体２０は、スクリーン４の他端を固定すると共に、スクリーン４を巻き取るための巻き取り機構を備えている。第二移動体２０は、図７の斜視図に示すように、巻き取り機構として巻き取りローラ２２を備えている。巻き取りローラ２２は、スクリーン４を巻き取る回転方向に付勢されている。
（ガイドローラ３０）
【００４３】
また第二移動体２０は、巻き取りローラ２２の前段側に、スクリーン４を巻き取りローラ２２に案内するためのガイドローラ３０を回転自在に備えている。このガイドローラ３０は、黒板ＢＢ表面からクリアランスを設けて離間させて配置されている。このような配置によって、スムーズにスクリーン４を巻き取りローラ２２から黒板ＢＢ側に引き出し、また巻き取り時において皺にならないように巻き取りローラ２２への巻き取りを案内する。
（ストッパ機構２４）
【００４４】
また第二移動体２０は、第二移動体２０の移動を停止させるストッパ機構２４を備えている。
（移動ハンドル２６）
【００４５】
具体的には第二移動体２０は、図６の斜視図に示すように、その前面に突出させた移動ハンドル２６と、ストッパ制御ハンドル２８とを備えている。移動ハンドル２６は、第二移動体２０を移動させる際にユーザがこれを把持するための取っ手である。移動ハンドル２６は、ユーザが握り易いように第二移動体２０の下部に設けられている。この例では、移動ハンドル２６は金属棒を側面視コ字状に折曲して構成されているが、Ｌ字状とするなど、任意の形状とできる。
（ストッパ制御ハンドル２８）
【００４６】
一方ストッパ制御ハンドル２８は、ストッパ機構２４の動作を制御させるための操作手段である。ストッパ制御ハンドル２８は、移動ハンドル２６よりも小さく、移動ハンドル２６の内側に配置されている。ここではストッパ制御ハンドル２８は、移動ハンドル２６と同一平面上に配置されており、ユーザが移動ハンドル２６と同時に把持し易いように構成されている。ユーザは、ストッパ制御ハンドル２８により、ストッパ機構２４の動作を制御する。この移動ハンドル２６も、金属棒をコ字状に折曲して形成されているが、この形状に限定されるものでない。なお、図１〜図３においては、移動ハンドル２６に隠れているため、ストッパ制御ハンドル２８を破線で示している。
【００４７】
以上のストッパ機構２４を用いて、第二移動体２０の移動及びスクリーンの引き出しを停止したストップ状態（ロック状態）と、第二移動体２０の移動及びスクリーンの引き出しを許容するアンロック状態とを切り替えることが可能となる。通常状態では、第二移動体２０の移動及びスクリーンの引き出しがストップ状態となるよう、ストッパ機構２４は付勢されている。この状態から、ストッパ制御ハンドル２８を黒板ＢＢに対して垂直方向手前側に引くと、ストップ状態が解除される。またストップ状態が解除されている状態で、ストッパ制御ハンドル２８が解放されると、ストッパ制御ハンドル２８が黒板ＢＢに対して垂直方向黒板ＢＢ側に移動し、ストップ状態となる。
【００４８】
図８に、ストッパ機構２４の構造を示す断面図を示す。ストッパ機構２４は、弾性部材５２と、押圧部５４を備える。弾性部材５２でもって、押圧部５４が黒板ＢＢ表面側に押圧されて、その摩擦力によって第二移動体２０の移動が阻止される。弾性部材５２はバネ等が利用でき、第二移動体２０の移動及びスクリーン４の引き出しを停止させるのに十分な弾性力を有する。押圧部５４は黒板の表面を傷付けないように押圧するよう、弾性部材で被覆されたブレーキパッド等が利用できる。押圧部５４の押圧面と反対の背面側には、ストッパ制御ハンドル２８のコ字状の突出部分が接続されている。ユーザがストッパ制御ハンドル２８を第二移動体２０から引き出す方向に操作すると、弾性部材５２の付勢力に抗して押圧部５４が黒板ＢＢから引き離され、第二移動体２０の移動が可能となる。この電子黒板１００においては、スクリーン４の左端部（第一移動体１０側）を固定端として、右端部（第二移動体２０側）を自由端としているので、第二移動体２０の移動を許容することで、スクリーン４の引き出しも可能となる。
【００４９】
特に図６及び図８の構成では、移動ハンドル２６とストッパ制御ハンドル２８とを、ほぼ同一平面上に配置している。このため、ユーザが移動ハンドル２６を把持する際には、ストッパ制御ハンドル２８も併せて把持することができる。よって、第二移動体２０を移動させる際にユーザが移動ハンドル２６と共にストッパ制御ハンドル２８も把持することで、押圧部５４が引き上げられてストップ状態が解除されて第二移動体２０を移動できる、すなわちスクリーン４を右側に引き出すこと、あるいは左側に巻き取ることが可能となる。また第二移動体２０の移動が終了して、ユーザが移動ハンドル２６から手を離すと、同時にストッパ制御ハンドル２８も開放され、弾性部材５２の付勢によって再度、押圧部５４を黒板ＢＢ表面に押圧して、ストップ状態となる。
【００５０】
なおストッパ機構２４及び巻き取りローラ２２は、互いに干渉しない位置に配置される。具体的には、図６の斜視図に示すように、ストッパ機構２４は、巻き取りローラ２２の背面側（図６において第二移動体２０の右側）に設けられる。いいかえると、巻き取りローラ２２と第一移動体１０との間にストッパ機構２４が位置しないよう、その外側に配置される。
（第一ハンドル４０）
【００５１】
また第一移動体１０は、図４の斜視図に示すように、その前面に第一ハンドル４０を設けている。第一ハンドル４０は、第一移動体１０とほぼ平行な棒状に形成されており、第一移動体１０の前面との間に空間を形成するよう離間させた垂直姿勢に固定されている。ユーザは、図２の状態の電子黒板装置１００において、第一ハンドル４０を把持して第一移動体１０を左右に移動させることができる。
（接続部１３）
【００５２】
また、電子黒板装置１００は、外部機器と接続するための接続部１３を備えている。接続部１３は図４等に示すとおり第一ハンドル４０の下部に連結されており、黒板ＢＢの下面に突出した姿勢で、第一ハンドル４０と連動して左右に摺動できる。したがって第一ハンドル４０の略水平移動にともない、接続部１３は黒板ＢＢの下端に沿いながら略水平に移動する。接続部１３はノートパソコン等の映像ソース供給装置を接続可能するための端子群を備えている。投影装置ＰＪに対して、スクリーン４に投影させる映像データ等を接続部１３を介して供給する。また、外部機器を電子黒板装置１００に無線接続することもでき、この場合は接続部１３に無線接続インターフェースを備える。
（支持ロッド４２）
【００５３】
さらに、電子黒板装置１００は、投影機としてプロジェクタＰＪを固定可能な支持ロッド４２を有する。この支持ロッド４２は、黒板ＢＢから前方に突出させた先端にプロジェクタＰＪを固定している。これによりプロジェクタＰＪは、黒板ＢＢと離間した黒板ＢＢの前方に位置されて、黒板ＢＢ側に向かって映像を投影することができる。支持ロッド４２は、第一ハンドル４０の上端に連結されており、第一ハンドル４０に連動して左右に移動する。したがって第一ハンドル４０の略水平移動にともない、支持ロッド４２は黒板ＢＢの上端に沿いながら略水平に移動する。
（電子黒板装置１００の使用方法）
【００５４】
電子黒板装置１００の非使用時においては、スクリーン４を巻き取り、第一移動体１０と第二移動体２０とを並べて一体とすることでコンパクトにして、黒板ＢＢの使用を極力妨げないようにできる。この状態でユーザは、移動ハンドル２６と共にストッパ制御ハンドル２８を把持して、図２に示すように右方向に電子黒板装置１００を移動させたり、あるいは図３に示すように右方向に移動させることができる。このように電子黒板装置１００を、黒板ＢＢの横幅の範囲内で水平方向に自在に移動させることができる。
【００５５】
次にスクリーン４を黒板ＢＢ上に配設する際には、ユーザがまず電子黒板装置１００を横方向に移動させて所望の位置で停止させる。次に、第二移動体２０を移動させてスクリーン４を展開する．具体的には、移動ハンドル２６及びストッパ制御ハンドル２８を把持し、ストッパ制御ハンドル２８を黒板ＢＢに対して垂直方向手前側に引き、ストッパ機構２４を制御してストップ状態を解除する。次に、ストップ状態が解除されたまま、第一移動体１０に対して、第二移動体２０を、第一移動体１０から遠ざけるように黒板ＢＢに並行な面上を移動させて、スクリーン４を展開する。この際、スクリーン４を展開しながら、黒板ＢＢ上に順次スクリーン４を付着させていくことで、従来のようにスクリーンを一旦展開した上で黒板上に付着させる方法に比べて、皺の発生を起こり難くできる。
【００５６】
また第二移動体２０を移動させてスクリーン４を展開する際には、第一移動体１０側を、第二移動体２０の移動と逆方向に移動させることが好ましい。これによって、最初にスクリーン４を黒板ＢＢに付着させる際に生じ易い皺を、引き出し方向と逆方向にもスクリーン４にテンションを加えることで、一層抑制することが可能となる。
【００５７】
さらに図４に示したように、スクリーン４は、回転軸１２を中心に多少旋回させることができるように構成されているので、第二移動体２０を移動させてスクリーン４を展開する際に、多少スクリーン４が傾いても、回転軸１２を中心に旋回させることで皺の発生を抑制できる。また、スクリーン４が回転軸１２を中心に傾いた際に、長穴１４ａ、１４ｂによって傾きの量を制限することができ、大きくスクリーンが歪んで巻き取られる事態を回避できる。
【００５８】
そして、スクリーン４を所望の長さまで展開した状態で、ストッパ制御ハンドル２８を解放し、ストッパ機構２４を作動させて第二移動体２０の移動を訂正し、同時にスクリーン４の引き出しを停止してストップ状態とする。そして、展開されたスクリーン４上に、投影装置（プロジェクタ）ＰＪから映像を投影する。
【産業上の利用可能性】
【００５９】
本発明の電子黒板装置は、学校等の教育機関に使用される黒板等に好適に適用できる。
【符号の説明】
【００６０】
４…スクリーン
１０…第一移動体
１２…回転軸
１３…接続部
１４ａ、１４ｂ…長穴
２０…第二移動体
２２…巻き取りローラ
２４…ストッパ機構
２６…移動ハンドル
２８…ストッパ制御ハンドル
３０…ガイドローラ
４０…第一ハンドル
４２…支持ロッド
５２…弾性部材
５４…押圧部
１００…電子黒板装置
８００…電子黒板装置
８０１…黒板
８０４…スクリーン
８０５…支持ロッド
８１０…固定端
８２０…自由端
８４０…スクリーン収納体
ＰＪ…投影装置（プロジェクタ）
ＢＢ…黒板
【図１】
2015163923.tif 000003
【図２】
2015163923.tif 000004
【図３】
2015163923.tif 000005
【図４】
2015163923.tif 000006
【図５】
2015163923.tif 000007
【図６】
2015163923.tif 000008
【図７】
2015163923.tif 000009
【図８】
2015163923.tif 000010
【図９】
2015163923.tif 000011
【図１０】
2015163923.tif 000012
【図１１】
2015163923.tif 000013